(57)【要約】【課題】スライドロックレバーによって接続樋と発射装置とをガタツキなく固定することができ、しかも組立作業性に優れた下部発射型パチンコ機を提供する。【解決手段】内枠に設けられた発射球供給用の接続樋７と発射ユニットの発射装置とをスライドロックレバー８により連結固定した下部発射型パチンコ機である。スライドロックレバー８は、接続樋７の前面に形成されたスライドレール１３に沿ってスライド可能に設けられたものであり、中央部にスライドレール受け部１７を備えるとともに、後部にボールプランジャ２０を備える。スライドレール受け部１７がスライドレール１３の先端位置に達するまでスライドロックレバー８をスライドさせたとき、ボールプランジャ２０のばね力により先端部を発射装置５に圧接する。【選択図】図１０
2014171566.tif 000002
【特許請求の範囲】
【請求項１】
下部発射型パチンコ機の発射ユニットと組み合わされた遊技盤を内枠に挿入して固定するとともに、内枠に設けられた発射球供給用の接続樋と発射ユニットの発射装置とをスライドロックレバーにより連結固定した下部発射型パチンコ機であって、
このスライドロックレバーは接続樋の前面に形成されたスライドレールに沿ってスライド可能に設けられたものであり、中央部にスライドレール受け部を備えるとともに、後部にボールプランジャを備え、
スライドレール受け部がスライドレールの先端位置に達するまでスライドロックレバーをスライドさせたとき、ボールプランジャのばね力により先端部を前記発射装置に圧接する機能を有することを特徴とする下部発射型パチンコ機。
【請求項２】
前記スライドレールは直線状部とその先端に形成されたストッパー部とからなり、これらの接続部を円弧面とするとともに、前記スライドレール受け部の外周にも円弧面を形成したことを特徴とする請求項１に記載の下部発射型パチンコ機。
【請求項３】
接続樋の前面に、スライドロックレバーを前進位置と後退位置とで保持するためのボールプランジャのボール受け穴を形成したことを特徴とする請求項１に記載の下部発射型パチンコ機。
【発明の詳細な説明】
【技術分野】
【０００１】
本発明は、下部発射型パチンコ機に関するものである。
【背景技術】
【０００２】
下部発射型のパチンコ機は、特許文献１に記載されているように、遊技盤の下部に発射ユニットが一体に設けられている。
【０００３】
このような発射ユニットを備えた遊技盤は内枠に挿入して固定されるが、内枠に設けられた発射球供給用の接続樋と、遊技盤側の発射ユニットの発射装置とを連結固定する必要がある。このため接続樋の前面に形成されたスライドレールにスライドロックレバーを取付け、スライドロックレバーを先端位置までスライドさせることによって発射装置と係合させ、接続樋と発射装置との間の位置ずれを防止しながら連結する構造が採用されている。
【０００４】
しかしスライドロックレバーとスライドレールとの嵌合部には、スライドロックレバーをスムーズにスライドさせるために僅かな隙間が必要である。また部品の加工誤差や組付け誤差によってもこの隙間は拡大することがある。このため、スライドロックレバーにはこの隙間の分だけのガタツキが必然的に生ずることとなる。また、この隙間によって生ずるスライドロックレバーの傾きは、スライドロックレバーを後退方向に動かす力を発生させ、パチンコ機の振動によってスライドロックレバーが緩む「ゆるみ事故」を招くことがある。
【０００５】
そこで従来は板厚の異なる数種類のスペーサーを用意し、組立の最終工程でパチンコ機毎の隙間の大きさに応じたスペーサーを選択して発射装置側に貼り付け、上記の隙間を無くしていた。しかしこの作業は手数が掛かり、非常に生産性が悪くなるという問題があった。
【先行技術文献】
【特許文献】
【０００６】
【特許文献１】特開２０１２−１１５５８３号公報
【発明の概要】
【発明が解決しようとする課題】
【０００７】
従って本発明の目的は上記した従来の問題点を解決し、スライドロックレバーによって接続樋と発射装置とをガタツキなく固定することができ、しかも組立作業性に優れた下部発射型パチンコ機を提供することである。
【課題を解決するための手段】
【０００８】
上記の課題を解決するためになされた本発明は、下部発射型パチンコ機の発射ユニットと組み合わされた遊技盤を内枠に挿入して固定するとともに、内枠に設けられた発射球供給用の接続樋と発射ユニットの発射装置とをスライドロックレバーにより連結固定した下部発射型パチンコ機であって、このスライドロックレバーは接続樋の前面に形成されたスライドレールに沿ってスライド可能に設けられたものであり、中央部にスライドレール受け部を備えるとともに、後部にボールプランジャを備え、スライドレール受け部がスライドレールの先端位置に達するまでスライドロックレバーをスライドさせたとき、ボールプランジャのばね力により先端部を前記発射装置に圧接する機能を有することを特徴とするものである。
【０００９】
なお請求項２のように、前記スライドレールは直線状部とその先端に形成されたストッパー部とからなり、これらの接続部を円弧面とするとともに、前記スライドレール受け部の外周にも円弧面を形成した構造とすることが好ましい。
【００１０】
また請求項３のように、接続樋の前面に、スライドロックレバーを前進位置と後退位置とで保持するためのボールプランジャのボール受け穴を形成した構造とすることが好ましい。
【発明の効果】
【００１１】
本発明の下部発射型パチンコ機は、スライドロックレバーをスライドさせることにより、内枠に設けられた発射球供給用の接続樋と発射ユニットの発射装置とを連結固定することは従来と同様である。しかし本発明では、スライドレール受け部がスライドレールの先端位置に達するまでスライドロックレバーをスライドさせたとき、ボールプランジャのばね力によりスライドロックレバーの先端部を前記発射装置に圧接することができるので、スライドロックレバーとスライドレールとの間に隙間があっても、接続樋と発射ユニットの発射装置とをガタツキなく連結固定することができる。このため、従来のように個別に厚みの異なるスペーサーを貼り付ける必要もなくなり、組立作業性を向上させることができる。
【００１２】
また請求項２のように、スライドレールとスライドレール受け部を構成すれば、スライドロックレバーの動きを滑らかに行わせることが可能となる。また請求項３のようにボール受け穴を形成しておけば、スライドロックレバーを前進位置と後退位置とで安定に保持することができる。
【図面の簡単な説明】
【００１３】
【図１】下部発射型パチンコ機の発射ユニットに遊技盤を挿入した状態を示す斜視図である。
【図２】発射ユニットと組み合わされた遊技盤を内枠に挿入して固定した状態を示す斜視図である。
【図３】スライドロックレバーを後退させた状態を示す斜視図である。
【図４】スライドロックレバーを前進させた状態を示す斜視図である。
【図５】要部の水平断面図である。
【図６】接続樋とスライドロックレバーを抜き出して示した斜視図である。
【図７】図６の正面図である。
【図８】スライドロックレバーを裏面側から見た斜視図である。
【図９】スライドロックレバーと接続樋との嵌合状態を示す断面図である。
【図１０】スライドロックレバーを前進位置までスライドさせた状態を示す斜視図である。
【図１１】スライドロックレバーを前進位置までスライドさせた状態を示す断面図である。
【発明を実施するための形態】
【００１４】
以下に本発明の実施形態を説明する。
先ず図１〜図５によって、実施形態の下部発射型パチンコ機の全体構成を説明する。図１において、１は外枠、２はその内部に組み込まれた内枠、３は遊技盤である。遊技盤３は内枠２の前面に形成された３か所の回転式ロックレバー４によって、図２に示すように内枠２に取付けられる。
【００１５】
遊技盤３の下部には、発射装置５が一体に設けられている。一方、内枠２の前面下部には発射球を発射装置５に供給するための供給手段６が設けられており、その先端の接続樋７が発射装置５に接続される。この接続を確実に行わせるために、図３、図４に示すように接続樋７の前面にスライドロックレバー８がスライド自在に設けられており、スライドロックレバー８を発射装置５に向って前方にスライドさせることにより、スライドロックレバー８の先端が発射装置５の発射レールをクランプするようになっている。
【００１６】
図５に示すように、このクランプは接続樋７の前面に設けられたスライドロックレバー８と、後面に設けられたロックレバー９とによって行われる。ロックレバー９は軸１０によって接続樋７の後面の一定位置に枢着され、スプリング１１によってその先端を発射装置５の後面に圧接するものである。一方、スライドロックレバー８は以下に説明するように、接続樋７に対してスライドし、前進位置において図５のように発射装置５の前面を圧接するものである。本発明はこのスライドロックレバー８の構造に最大の特徴を持つため、以下に詳細に説明する。
【００１７】
図６は本発明の要部である接続樋７とスライドロックレバー８を抜き出して示した斜視図、図７は図６の正面図である。ただしスライドロックレバー８は内部構造を示すために断面図としてある。またパチンコ機への取り付け状態において前面となる面が、図６以下の図面では上面として図示されている点に注意していただきたい。
【００１８】
図６、図７に示されるように、接続樋７は断面がコの字状の樹脂成形体であり、その四隅に取付け部１２を備えている。その両側面にはスライドレール１３が形成されている。スライドレール１３は直線状部１４とその先端に形成されたストッパー部１５とからなり、これらの直線状部１４とストッパー部１５と接続部の内面を円弧面１６としてある。
【００１９】
図８はスライドロックレバー８を裏面側から見た斜視図である。図示のように、スライドロックレバー８は両側壁の中央部の内側に半円状のスライドレール受け部１７が突設されたものである。スライドロックレバー８は図９に示すように接続樋７に被せられ、スライドレール受け部１７を接続樋７のスライドレール１３の直線状部１４に係合させることによって、スライド自在に保持されている。なおスライドレール受け部１７は必ずしも半円状である必要はなく、外周が円弧面であればよい。
【００２０】
図６に示したように、スライドロックレバー８の後部にはボールプランジャ２０が設けられている。このボールプランジャ２０はスライドロックレバー８の後部に形成された凹部２１の内部にスプリング２２とボール２３とを収納したものである。接続樋７の表面にはこのボール２３との接触面２４が突出形成されており、その基部には斜面２５が形成されるとともに、前後の２カ所にボール受け穴２６、２７が凹設されている。
【００２１】
このように構成されたスライドロックレバー８は、ボールプランジャ２０のボール２３がスプリング２２のばね力によって常に接続樋７の接触面２４を押圧しているが、図６、図７に示すようにスライドロックレバー８が後退位置にあるとき、即ちボール２３が後側のボール受け穴２７に嵌っているときは、スライドレール受け部１７がスライドレール１３の直線状部１４に接触しているため、僅かに前下がりの姿勢となっている。
【００２２】
しかし図１０、図１１に示すように、スライドロックレバー８を前進位置までスライドさせると、スライドレール受け部１７がスライドレール１３の先端に形成されたストッパー部１５に当接するとともに、その内面の円弧面１６に接触して回転自在となる。このためスライドロックレバー８はスライドレール受け部１７を中心としてスプリング２２のばね力によって前下がりに傾動し、図５に示したようにその先端部が発射装置５の前面を圧接し、発射装置５に対して接続樋７を連結固定する。
【００２３】
このように、スライドロックレバー８は前進位置ではスライドレール受け部１７を中心として大きく傾動可能となるので十分な「締め代」を確保することが可能となる。従って、従来はスペーサーを貼り付けていた隙間を、スライドロックレバー８の傾動によって吸収することができ、接続樋７と発射装置５の発射レールとをガタツキなく固定することができる。
【００２４】
またスライドロックレバー８は前進位置においてはボールプランジャ２０のボール２３がボール受け穴２６に嵌ることとなるため、パチンコ機からの振動によってもスライドロックレバー８が後退するおそれがなくなり、「ゆるみ事故」を防止することができる。
【００２５】
このように本発明においては従来のようにスペーサーを貼り付けて隙間を埋める作業が不要となるので、組立作業性を大幅に向上させることが可能となる。
【符号の説明】
【００２６】
１  外枠
２  内枠
３  遊技盤
４  回転式ロックレバー
５  発射装置
６  供給手段
７  接続樋
８  スライドロックレバー
９  ロックレバー
１０  軸
１１  スプリング
１２  取付け部
１３  スライドレール
１４  直線状部
１５  ストッパー部
１６  円弧面
１７  スライドレール受け部
２０  ボールプランジャ
２１  凹部
２２  スプリング
２３  ボール
２４  接触面
２５  斜面
２６  ボール受け穴
２７  ボール受け穴
【図３】
2014171566.tif 000003
【図４】
2014171566.tif 000004
【図８】
2014171566.tif 000005
【図９】
2014171566.tif 000006
【図１】
2014171566.tif 000007
【図２】
2014171566.tif 000008
【図５】
2014171566.tif 000009
【図６】
2014171566.tif 000010
【図７】
2014171566.tif 000011
【図１０】
2014171566.tif 000012
【図１１】
2014171566.tif 000013